(57)【要約】      （修正有）【課題】高い位置にあるシート角部またはシート縁部の吸着を可能にし、進入空気を低減する、吸込開口における吸込空気を制御する装置を提供する。【解決手段】吸込開口を閉鎖する切換機構を備える、吸込開口における吸込空気を制御する装置であって、切換機構２２は、第１の吸込通路２３と、接続通路３３と、第２の吸込通路２４とを有し、接続通路３３は、第１の吸込通路２３と第２の吸込通路２４とを互いに接続し、第１の吸込通路２３および第２の吸込通路２４の両方は、吸込開口１７と接続されており、接続通路３３は、該接続通路３３を開閉する、吸込空気制御される遮断要素３１を有する。遮断要素３１は、摺動可能な切換プランジャである。切換プランジャ３１は、弾性的でばね作用を有するダイヤフラム３２に配置されている。ダイヤフラム３２は、切換プランジャ３１の横断面積ＡZよりも大きな面積ＡMを有する。【選択図】図３
0003205679.tif 000002
【実用新案登録請求の範囲】
【請求項１】
吸込開口を閉鎖する切換機構を備える、吸込開口における吸込空気を制御する装置であって、
前記切換機構（２２）は、第１の吸込通路（２３）と、接続通路（３３）と、第２の吸込通路（２４）とを有し、
前記接続通路（３３）は、前記第１の吸込通路（２３）と前記第２の吸込通路（２４）とを互いに接続し、前記第１の吸込通路（２３）および第２の吸込通路（２４）の両方は、前記吸込開口（１７）と接続されており、
前記接続通路（３３）は、該接続通路（３３）を開閉する、吸込空気制御される遮断要素（３１）を有する
ことを特徴とする、吸込開口における吸込空気を制御する装置。
【請求項２】
前記遮断要素（３１）は、摺動可能な切換プランジャである、請求項１記載の装置。
【請求項３】
前記切換プランジャ（３１）は、弾性的でばね作用を有するダイヤフラム（３２）に配置されている、請求項２記載の装置。
【請求項４】
前記ダイヤフラム（３２）は、前記切換プランジャ（３１）の横断面積（ＡZ）よりも大きな面積（ＡM）を有する、請求項３記載の装置。
【請求項５】
前記第１の吸込通路（２３）および第２の吸込通路（２４）に、吸込空気を接続および遮断する弁（２８，２９；３４）が設けられており、前記第１および第２の吸込通路（２３，２４）に、互いに独立して吸込空気が供給可能である、請求項１から４までのいずれか１項記載の装置。
【請求項６】
前記弁（２８，２９；３４）は、機械（１）のサイクルで制御可能である、請求項５記載の装置。
【請求項７】
請求項１から６までのいずれか１項記載の装置を備える吸込ベルトボード、トレーまたは胴。
【請求項８】
請求項７記載の吸込ベルトボード、トレーまたは胴を備える印刷機。
【考案の詳細な説明】
【技術分野】
【０００１】
本考案は、たとえば、シートを処理する機械、特にデジタル印刷機の搬送ベルト、トレーまたは胴上でシートを位置固定するための、シート用の真空制御式の保持装置に関する。
【背景技術】
【０００２】
印刷機では、処理すべきシートを加工して見当通りに搬送できるようにするために、シートを、その都度の支持体、たとえば搬送ベルト、トレーまたは胴に平らに載置しなければならないという問題が存在する。その目的のために、空気力式の保持装置が知られている。この保持装置は、シートを、吸込空気を用いてその都度の支持体に位置固定する。
【０００３】
独国特許発明第１０００２０９４号明細書は、シートのための、真空制御式の、特に体積流量制御される保持装置を開示している。その保持装置では、供給される体積流よって柔軟な閉鎖フラップが閉じられることにより、閉鎖フラップが、シートを保持するために設けられた吸込開口を閉鎖する。吸込開口がシートにより覆われると直ちに、閉鎖フラップが開放し、体積流が、吸込開口を通じてシートに作用するので、シートは固く保持される。
【先行技術文献】
【特許文献】
【０００４】
【特許文献１】独国特許発明第１０００２０９４号明細書
【考案の概要】
【考案が解決しようとする課題】
【０００５】
本考案の課題は、高い位置にあるシート角部またはシート縁部の吸着を可能にし、進入空気を低減する、吸込空気制御の方法およびシートのための真空制御式の保持装置を提供することである。
【課題を解決するための手段】
【０００６】
この課題を解決するために本考案の構成では、吸込開口を閉鎖する切換機構を備える、吸込開口における吸込空気を制御する装置であって、切換機構は、第１の吸込通路と接続通路と第２の吸込通路とを有し、接続通路は、第１の吸込通路と第２の吸込通路とを互いに接続し、第１および第２の通路の両方は、吸込開口と接続されており、接続通路は、接続通路を開閉する、吸込空気制御される遮断要素を有する。
【０００７】
好適には、遮断要素は、摺動可能な切換プランジャである。
【０００８】
好適には、切換プランジャ、弾性的でばね作用を有するダイヤフラムに配置されている。
【０００９】
好適には、ダイヤフラムは、切換プランジャの横断面積よりも大きな面積を有する。
【００１０】
好適には、第１および第２の通路に、吸込空気を接続および遮断する弁が設けられており、第１および第２の吸込通路には、互いに独立して吸込空気が供給可能である。
【００１１】
好適には、弁は、機械のサイクルで制御可能である。
【００１２】
このような吸込開口における吸込空気を制御する装置を備える吸込ベルトボード、トレーまたは胴が好適である。
【００１３】
このような吸込ベルトボード、トレーまたは胴を備える印刷機が好適である。
【考案の効果】
【００１４】
本考案の格別な利点は、不要な吸込開口が自動的に遮断可能であり、これに対して必要な吸込開口が作動化されたままとなることである。このような構成手段により、進入空気がほぼ回避される。有効な吸込開口は、被印刷物、たとえばシートの形状により決定されるので、作動化が自動的に調整可能である。というのも、作動化が、シートによる吸込開口の覆いによって制御されるからである。このような構成手段により、様々な被印刷物の形状およびサイズが処理可能である。
【００１５】
さらに、その目標位置からずれて配置されたシートも確実に保持することができる。
【００１６】
本考案の実施の形態を図示して、以下に説明する。
【図面の簡単な説明】
【００１７】
【図１】シート搬送ベルト機構を有するデジタル印刷機を概略断面図で示す。
【図２】胴搬送機構を有するデジタル印刷機を概略断面図で示す。
【図３】吸込開口の切換機構の断面図を示す。
【図４】様々なシート形状とともに搬送ベルトを平面図で示す。
【考案を実施するための形態】
【００１８】
シートのための吸込搬送ベルト機構や胴搬送機構を有するインクジェット印刷機１に基づいて、本考案を説明する。もちろん、本考案に係る保持装置は、ボードまたはトレーにも関する。
【００１９】
インクジェット印刷機１は、フィーダ２と、搬送区間３と、デリバリ４とを有する。搬送区間３の領域で、シート６が、吸込ベルトとして構成された搬送ベルト７を用いて、少なくとも１つの所定のインクジェット印刷ヘッド８の下方を通って案内され、インクジェット印刷ヘッド８により、シート６に印刷または画像形成が行われる。吸込ベルト７は、吸込ベルトボード９上で滑動するように案内されて、駆動ローラ１１および変向ローラ１２によって駆動されかつ変向される。
【００２０】
吸込ベルトボード９は、相前後して、ならびにシート搬送方向に対して横方向に相並んで配置された所定数の吸込開口１７を有する。吸込開口１７は、吸込ベルト７により覆われて、吸込搬送ベルト７の吸込開口１８と接続されている。
【００２１】
各吸込開口１７は、吸込開口１７における吸込空気を制御する切換機構２２を有する。切換機構２２は、２つの吸込通路２３，２４を有し、吸込通路２３，２４は、吸込源２６から負圧−ｐ１，−ｐ２を加えることができ、それぞれ１つの切換可能な弁２８，２９を有する。弁２８，２９は、シートを処理する機械のサイクルで時間制御されて作動可能である（図３参照）。
【００２２】
切換機構２２は、可動の遮断要素３１、たとえば切換プランジャを有し、切換プランジャは、一端部で、柔軟でばね弾性的な（ばね作用を有する）ダイヤフラム３２に取り付けられている。ダイヤフラム３２の面積ＡMは、切換プランジャ３１の横断面積ＡZよりも大きい。このような構成手段により、切換プランジャ３１は、両方の通路２３，２４に負圧が加えると、下方へ動かされ、通路２３，２４間の接続通路３３が開かれる。
【００２３】
吸込開口１７における吸込空気を制御する方法は、以下のステップを含む。先ず、吸込通路２３に吸込空気圧（たとえば−ｐ１＝約−２００ｍｂａｒ）が加えられる。
【００２４】
吸込開口１７がシート６により覆われると直ちに、通路２３に負圧が発生し、この負圧はシート６を吸着する。そのときから、第２の通路２４に吸込圧（たとえば−ｐ２＝約−２００ｍｂａｒ）が加えられる。切換プランジャ３１の面積ＡSと比べてダイヤフラム３２の面積ＡMが大きいことによって、切換プランジャ３１は、下方へ引っ張られ、接続通路３３が開かれる。
【００２５】
したがって、切換機構２２全体に、負圧（たとえば−ｐ＝約−２００ｍｂａｒ）が作用し、この負圧は、シート６の位置固定を可能にする。
【００２６】
次のステップで、つまり第２の通路２４に吸込空気が供給された直後に、第１の通路２３の吸込通路が遮断される。
【００２７】
切換プランジャ３１は、吸込開口１７が覆われた切換機構２２（図３参照、右側に配置された切換機構２２）では、開放位置にとどまり、これに対して、吸込開口１７が覆われていない切換機構２２（図３参照、左側に配置された切換機構２２）の切換プランジャ３１は、ばね弾性的なダイヤフラム３２によって閉鎖位置に移動されるので、もはや吸込空気が、覆われていない吸込開口１７に作用しない。こうして今やシート６の後続搬送後に、覆われていない吸込開口１７が開放され、吸込開口１７に、進入空気が入り、接続通路３３は閉じられる。ただし、第２の通路２４では、いずれの時点においても進入空気が吸い込まれないので、ここでは良好な吸込作用が存在する。
【００２８】
択一的な方法では、まず、図３の左側で示唆されているように、両方の吸込通路２３，２４に、方向制御弁３４により、吸込空気−ｐ１，−ｐ２（−ｐ１＝−ｐ２＝約−２００ｍｂａｒ）が加えられる。
【００２９】
接続通路３３が閉じられているので、吸込開口１７に圧力−ｐ１が作用する。吸込開口１７がシートにより覆われるまで、進入空気が入り込む。ダイヤフラム３２のより大きな面積ＡMによって、接続通路３３が開かれる（ＡM＞ＡZ）。したがって、吸込空気−ｐ１の遮断が行われ、ひいては覆われていない吸込開口１７において接続通路３３の自動的な閉鎖が行われる。
【００３０】
図４は、搬送ベルト７を平面図で示している。処理すべき被印刷物６、たとえば利用素材片または折畳ボックス断裁片によって、幾つかの吸込開口１７が覆われて、したがって機能している。覆われていない吸込開口１７は、遮断されている。これにより、好適には、進入空気が回避され、被印刷物は、良好な吸込効果をもって吸着される。
【００３１】
図２による実施の形態では、切換機構２２が、印刷機１０１、特にインクジェット印刷機の胴、たとえば印刷胴１１２に配置されるように設計されている。
【００３２】
デジタル印刷機１０１は、枚葉輪転印刷機１０１にシート１０３を供給するフィーダ１０２と、デジタル印刷機１０１から印刷済みのシート１０３を排出するデリバリ１０４とを有する。シート１０３に印刷を行う少なくとも１つの印刷ステーション１０６が設けられている。シート１０３は、フィーダ１０２から、フィーダボード１０７を介して、供給胴１０８に渡され、供給胴１０８は、シートを、好適には２倍胴サイズの渡しドラム１０９に送る。そこから、シート１０３は、別の、たとえば１倍胴サイズの渡しドラム１１１によって、たとえば３倍胴サイズの印刷胴１１２に達する。印刷胴１１２上で、シートに、インクジェット印刷ユニット１１３によって印刷が行われる。印刷済みのシート１０３は、印刷胴１１２から、特に２倍胴サイズの渡しドラム１１４に渡され、そこから、シート１０３は、たとえば１倍胴サイズの渡しドラム１１６を介してデリバリ１０４のチェングリッパ１１７に渡される。
【００３３】
反転運転時には、渡しドラム１１４は、蓄えドラムとして作動し、シートの後縁を、後置された反転ドラム１１８に渡し、そこから、シート１０３は、裏面に印刷を行うために、渡しドラム１１９を用いて、渡しドラム１０９に戻し案内され、これにより、シート１０３は、印刷ユニット１０６において、裏面に印刷を行うことができる。
【００３４】
印刷胴１１２は、その外面上に沿って分配された、シート１０３を位置固定する吸込開口１１７を有する。この場合、各吸込開口１７に対応して１つの切換機構２２が配置されている。
【符号の説明】
【００３５】
１  インクジェット印刷機
２  フィーダ
３  搬送区間
４  デリバリ
６  シート
７  搬送ベルト
８  印刷ヘッド
９  吸込ベルトボード
１１  駆動ローラ
１２  変向ローラ
１３  吸込チャンバ
１４  吸込チャンバ
１５  吸込チャンバ
１６  吸込チャンバ
１７  吸込開口（９）
１８  吸込開口（７）
２２  切換機構
２３  吸込通路
２４  吸込通路
２６  吸込源
２８  方向制御弁
２９  方向制御弁
３１  遮断要素
３２  ダイヤフラム
３３  接続通路
１０１  枚葉輪転印刷機
１０２  フィーダ
１０３  シート
１０４  デリバリ
１０６  印刷ステーション
１０７  フィーダボード
１０８  供給胴
１０９  渡しドラム
１１１  渡しドラム
１１２  印刷胴（インクジェット胴）
１１３  インクジェット印刷ユニット
１１４  渡しドラム／蓄えドラム
１１６  渡しドラム
１１７  チェングリッパ
１１８  反転ドラム
１１９  渡しドラム
１２２  グリッパ装置（１２）
−ｐ１  負圧（２３）
−ｐ２  負圧（２４）
ＡM  面積（３２）
ＡZ  面積（３１）
【図１】
0003205679.tif 000003
【図２】
0003205679.tif 000004
【図３】
0003205679.tif 000005
【図４】
0003205679.tif 000006
【手続補正書】
【提出日】平成28年6月7日(2016.6.7)
【手続補正１】
【補正対象書類名】実用新案登録請求の範囲
【補正対象項目名】全文
【補正方法】変更
【補正の内容】
【実用新案登録請求の範囲】
【請求項１】
吸込開口を閉鎖する切換機構を備える、吸込開口における吸込空気を制御する装置であって、
前記切換機構（２２）は、第１の吸込通路（２３）と、接続通路（３３）と、第２の吸込通路（２４）とを有し、
前記接続通路（３３）は、前記第１の吸込通路（２３）と前記第２の吸込通路（２４）とを互いに接続し、前記第１の吸込通路（２３）および第２の吸込通路（２４）の両方は、前記吸込開口（１７）と接続されており、
前記接続通路（３３）は、該接続通路（３３）を開閉する、吸込空気制御される遮断要素（３１）を有する
ことを特徴とする、吸込開口における吸込空気を制御する装置。
【請求項２】
前記遮断要素（３１）は、摺動可能な切換プランジャである、請求項１記載の装置。
【請求項３】
前記切換プランジャ（３１）は、弾性的でばね作用を有するダイヤフラム（３２）に配置されている、請求項２記載の装置。
【請求項４】
前記ダイヤフラム（３２）は、前記切換プランジャ（３１）の横断面積（ＡZ）よりも大きな面積（ＡM）を有する、請求項３記載の装置。
【請求項５】
前記第１の吸込通路（２３）および第２の吸込通路（２４）に、吸込空気を接続および遮断する弁（２８，２９；３４）が設けられており、前記第１および第２の吸込通路（２３，２４）に、互いに独立して吸込空気が供給可能である、請求項１から４までのいずれか１項記載の装置。
【請求項６】
前記弁（２８，２９；３４）は、機械（１）のサイクルで制御可能である、請求項５記載の装置。
【請求項７】
請求項１から６までのいずれか１項記載の装置を備える吸込ベルトボード、トレーまたは印刷胴。
【請求項８】
請求項７記載の吸込ベルトボード、トレーまたは印刷胴を備える印刷機。